(57)【特許請求の範囲】
【請求項１】
シャーシと、
前記シャーシの一側面上に結合されるものであり、多数の発光ダイオードが所定形態に配列されており、少なくとも一端部には、前記発光ダイオードに電源を供給するための１対の導電性パッドが設けられる印刷回路基板と、
前記１対の導電性パッドが差し込まれ、前記シャーシの前記一側面上に固設される電源ソケットと、を具備することを特徴とする液晶ディスプレイ装置用バックライト・ユニット。
【請求項２】
前記電源ソケットは、ソケット・ハウジングと、前記ソケット・ハウジング内に設けられるものであり、前記１対の導電性パッドと対応する１対の電源端子と、を含むことを特徴とする請求項１に記載の液晶ディスプレイ装置用バックライト・ユニット。
【請求項３】
前記１対の導電性パッドは、前記ソケット・ハウジング内に差し込まれ、前記１対の電源端子と電気的に連結されることを特徴とする請求項２に記載の液晶ディスプレイ装置用バックライト・ユニット。
【請求項４】
前記１対の電源端子は、導電性の弾性部材からなることを特徴とする請求項２又は３に記載の液晶ディスプレイ装置用バックライト・ユニット。
【請求項５】
前記ソケット・ハウジングには、前記１対の導電性パッドが差し込まれる１対の溝が形成されていることを特徴とする請求項２乃至４のいずれか一項に記載の液晶ディスプレイ装置用バックライト・ユニット。
【請求項６】
前記ソケット・ハウジングには、前記１対の導電性パッドが差し込まれる１つの溝が形成されることを特徴とする請求項２乃至４のいずれか一項に記載の液晶ディスプレイ装置用バックライト・ユニット。
【請求項７】
前記シャーシには、前記電源ソケットの１対の電源端子に電源を供給するための電源供給線が通過する貫通孔が形成されていることを特徴とする請求項２乃至６のいずれか一項に記載の液晶ディスプレイ装置用バックライト・ユニット。
【請求項８】
前記１対の導電性パッドは、前記印刷回路基板上に形成された導電性物質が外部に露出されることによって形成されることを特徴とする請求項１乃至７のいずれか一項に記載の液晶ディスプレイ装置用バックライト・ユニット。
【請求項９】
前記シャーシの少なくとも一側は、直角に曲がっており、前記印刷回路基板は、前記シャーシの曲がった内側面に結合されることを特徴とする請求項１乃至８のいずれか一項に記載の液晶ディスプレイ装置用バックライト・ユニット。
【請求項１０】
前記印刷回路基板は、ストリップ形状を有し、前記発光ダイオードは、前記印刷回路基板上でライン状に配列されることを特徴とする請求項１乃至９のいずれか一項に記載の液晶ディスプレイ装置用バックライト・ユニット。
【請求項１１】
多数の発光ダイオードがシャーシの一側面上に設けられる液晶ディスプレイ用エッジ発光型発光ダイオードバックライト・ユニットにおいて、
前記シャーシの前記一側面上に結合されるものであり、前記発光ダイオードが所定形態に配列されており、少なくとも一端部には、１対の導電性パッドが設けられる印刷回路基板と、
前記シャーシの前記一側面上に固設されるものであり、前記１対の導電性パッドが差し込まれる電源ソケットと、を具備することを特徴とする液晶ディスプレイ装置用バックライト・ユニット。
【請求項１２】
前記電源ソケットは、ソケット・ハウジングと、前記ソケット・ハウジング内に設けられるものであり、前記１対の導電性パッドと対応する１対の電源端子と、を含むことを特徴とする請求項１１に記載の液晶ディスプレイ装置用バックライト・ユニット。
【請求項１３】
前記１対の導電性パッドは、前記印刷回路基板上に形成された導電性物質が外部に露出されることによって形成されることを特徴とする請求項１１または１２に記載の液晶ディスプレイ装置用バックライト・ユニット。
【発明の詳細な説明】
【技術分野】
【０００１】
本発明は、液晶ディスプレイ装置用バックライト・ユニットに係り、さらに詳細には、発光ダイオードを光源として使用する液晶ディスプレイ装置用バックライト・ユニットに関する。
【背景技術】
【０００２】
液晶ディスプレイ装置（ＬＣＤ：liquid  crystal  display  device）は、発光型ディスプレイ装置であるプラズマ・ディスプレイ・パネル（ＰＤＰ：plasma  display  panel）、電界放出ディスプレイ装置（ＦＥＤ：field  emission  display  device）などと異なり、それ自体が発光して画像を形成できず、外部から光が入射されて画像を形成する受光型ディスプレイ装置である。従って、液晶ディスプレイ装置には、背面方向に設けられ、液晶層側に光を出射させるバックライト・ユニット（backlight  unit）が設けられる。
【０００３】
従来、液晶ディスプレイ装置用バックライト・ユニットは、光源として冷陰極蛍光ランプ（ＣＣＦＬ：cold  cathode  fluorescent  lamp）が使われた。しかし、このような冷陰極蛍光ランプを光源として使用する場合には、輝度が落ちるだけではなく、液晶ディスプレイ装置が大型化するほど、輝度の均一性を確保し難いという問題点がある。従って、かような問題を解決するために、最近では、発光ダイオード（ＬＥＤ：light  emitting  diode）を光源として使用するバックライト・ユニットが開発されている。
【０００４】
図１には、ＬＥＤを光源として使用する従来の液晶ディスプレイ装置用バックライト・ユニットとして、具体的に、エッジ発光型（edge  light  emitting  type）ＬＥＤバックライト・ユニットが図示されている。
【０００５】
図１を参照するに、シャーシ（chassis）の一側が直角に曲がっていて、この曲がった内側面上に、多数のＬＥＤ１２１が配列された印刷回路基板１２０が結合されている。そして、前記印刷回路基板１２０の一端部には、ＬＥＤ１２１に電源を供給するためのコネクタ（connector）１４０が設けられている。前記コネクタ１４０は、電源端子が備わったハウジング１５０と電気的に連結されている。そして、前記ハウジング１５０には、電源供給のための電源供給線１５１ａ，１５１ｂが連結され、シャーシ１００には、かような電源供給線１５１ａ，１５１ｂが通過する貫通孔１６０が形成されている。図１では、参照符号１３０，１０５，１２５は、それぞれ印刷回路基板１２０をシャーシの一側面１００ａに結合させるためのネジ、第１ネジ孔、第２ネジ孔を示している。一方、図面には図示されていないが、前記シャーシ１００の内側には、ＬＥＤ１２１から放出される光を液晶ディスプレイ装置の液晶層（図示せず）側にガイドするための導光板が設けられている。
【０００６】
前記のような構造のバックライト・ユニットを製造するためには、印刷回路基板１２０のコネクタ１４０にハウジング１５０を連結した後、この印刷回路基板１２０をシャーシの一側面１００ａ上に結合する。しかし、かような従来バックライト・ユニットは、コネクタ１４０、ハウジング１５０のような部品が必要になり、またハウジング１５０とコネクタ１４０とを組み立てた後、印刷回路基板１２０をシャーシ１００に結合させる工程によって、工程別所要時間（tack  time）が延長してしまうという短所がある。
【発明の概要】
【発明が解決しようとする課題】
【０００７】
本発明は、発光ダイオードを光源として使用する液晶ディスプレイ装置用バックライト・ユニットであり、製造コストを節減でき、かつ製造工程を簡素化させることができるバックライト・ユニットを提供するものである。
【課題を解決するための手段】
【０００８】
本発明の具現例によれば、シャーシと、前記シャーシの少なくとも一側面に結合されるものであり、多数の発光ダイオード（ＬＥＤ）が所定形態に配列されており、少なくとも一端部には、前記ＬＥＤに電源を供給するための１対の導電性パッドが設けられる印刷回路基板と、前記１対の導電性パッドが差し込まれる電源ソケットと、を具備する液晶ディスプレイ装置用バックライト・ユニットが開示される。
【０００９】
前記電源ソケットは、前記シャーシの少なくとも一側面上に固設されうる。前記電源ソケットは、ソケット・ハウジングと、前記ソケット・ハウジング内に設けられるものであり、前記１対の導電性パッドと対応する１対の電源端子と、を含むことができる。ここで、前記１対の導電性パッドは、前記ソケット・ハウジング内に差し込まれ、前記１対の電源端子と電気的に連結されうる。
【００１０】
前記１対の電源端子は、前記１対の導電性パッドと電気的な接触が容易なように、導電性の弾性部材からなりうる。
【００１１】
前記ソケット・ハウジングには、前記１対の導電性パッドが差し込まれる１対の溝が形成されているか、または前記１対の導電性パッドが差し込まれる１つの溝が形成されうる。
【００１２】
前記シャーシには、前記電源ソケットの１対の電源端子に電源を供給するための電源供給線が通過する貫通孔が形成されうる。
【００１３】
前記１対の導電性パッドは、前記印刷回路基板上に形成された導電性物質が外部に露出されることによって形成されうる。
【００１４】
前記シャーシの少なくとも一側は、直角に曲がっており、前記印刷回路基板は、前記シャーシの曲がった内側面に結合されうる。そして、前記印刷回路基板は、ストリップ形状（strip  shape）を有し、前記ＬＥＤは、前記印刷回路基板上で、ライン状に配列されうる。
【００１５】
本発明の他の具現例によれば、多数のＬＥＤがシャーシの少なくとも一側面上に設けられる液晶ディスプレイ装置用エッジ発光型ＬＥＤバックライト・ユニットにおいて、前記シャーシの少なくとも一側面に結合されるものであり、前記ＬＥＤが所定形態に配列されており、少なくとも一端部には、１対の導電性パッドが設けられる印刷回路基板と、前記シャーシの少なくとも一側面上に固設されるものであり、前記１対の導電性パッドが差し込まれる電源ソケットと、を具備する液晶ディスプレイ装置用バックライト・ユニットが開示されている。
【発明の効果】
【００１６】
本発明の実施形態によれば、製造コストを節減でき、かつ製造工程を簡素化させることができる液晶ディスプレイ装置用バックライト・ユニットを具現できる。
【図面の簡単な説明】
【００１７】
【図１】従来の液晶ディスプレイ装置用バックライト・ユニットの一例を図示した分離斜視図である。
【図２】本発明の実施形態による液晶ディスプレイ装置用バックライト・ユニットを図示した分離斜視図である。
【図３】図２に図示された本発明の実施形態によるバックライト・ユニットに適用されうる電源ソケットの一例を図示する図である。
【図４Ａ】図３に図示された電源ソケットに差し込まれる印刷回路基板の一端部を図示した図である。
【図４Ｂ】図３に図示された電源ソケットに差し込まれる印刷回路基板の一端部を図示した図である。
【図５】図２に図示された本発明の実施形態によるバックライト・ユニットに適用されうる電源ソケットの他の例を図示した図である。
【図６Ａ】図５に図示された電源ソケットに差し込まれる印刷回路基板の一端部を図示した図である。
【図６Ｂ】図５に図示された電源ソケットに差し込まれる印刷回路基板の一端部を図示した図である。
【発明を実施するための形態】
【００１８】
以下、添付された図面を参照しつつ、本発明による望ましい実施形態について詳細に説明する。図面で同じ参照符号は、同じ構成要素を指し、各構成要素の大きさや厚さは、説明の明瞭性のために誇張されていることがある。
【００１９】
本発明は、光源として多数の発光ダイオード（ＬＥＤ）を使用し、前記ＬＥＤがシャーシ（chassis）の一側または両側に配されるエッジ発光型（edge  light  emitting  type）ＬＥＤバックライト・ユニットに関する。
【００２０】
図２は、本発明の実施形態による液晶ディスプレイ装置用バックライト・ユニットを図示した分離斜視図である。図２を参照するに、本発明の実施形態による液晶ディスプレイ装置用バックライト・ユニットは、シャーシ２００と、前記シャーシ２００の一側面に設けられる印刷回路基板（ＰＣＢ：printed  circuit  board）２２０、前記シャーシ２００の一側面に固設される電源ソケット２５０を含む。図２で参照符号２３０は、印刷回路基板２２０をシャーシ２００に結合させるためのネジを示している。そして、参照符号２２５及び２０５は、それぞれシャーシ２００に形成された第１ネジ孔、及び印刷回路基板２２０に形成された第２ネジ孔を示している。
【００２１】
前記シャーシ２００は、その一側が直角に曲がっており、このように曲がったシャーシの一側面２００ａ上に、印刷回路基板２２０が結合される。前記印刷回路基板２２０には、多数のＬＥＤ２２１が所定形態に配列されている。ここで、前記印刷回路基板２２０は、例えば、ストリップ形状を有し、この印刷回路基板２２０上に、多数のＬＥＤ２２１が所定形態、例えば、ライン状に配列されうる。しかし、これに限定されるものではなく、前記ＬＥＤ２２１は、多様な形態に配列されうる。そして、図２には、ＬＥＤ２２１が印刷回路基板２２０上に１列に配列される場合が図示されているが、前記ＬＥＤ２２１は、２列以上に配列されもする。
【００２２】
前記印刷回路基板２２０の一端部には、１対の導電性パッド２２０ａ，２２０ｂが設けられている。ここで、前記１対の導電性パッド２２０ａ，２２０ｂは、ＬＥＤ２２１に電源を供給するためのものであり、後述する電源ソケット２５０内の１対の電源端子２５２ａ，２５２ｂに対応するように形成される。そして、前記印刷回路基板２２０が結合されるシャーシの一側面２００ａには、電源ソケット２５０が固設される。かような電源ソケット２５０は、印刷回路基板２２０の端部に設けられた導電性パッド２２０ａ，２２０ｂと電気的に連結され、ＬＥＤ２２１に電源を供給する役割を行う。一方、前記電源ソケット２５０には、外部から電源を供給する電源供給線２５１ａ，２５１ｂが連結され、前記シャーシ２００の底には、電源供給線２５１ａ，２５１ｂが通過できるように、貫通孔２６０が形成されうる。
【００２３】
図３には、図２に図示された本発明の実施形態によるバックライト・ユニットに採用されうる電源ソケットの一例が図示されている。そして、図４Ａ及び図４Ｂは、図３に図示された電源ソケットに差し込まれる印刷回路基板の端部を例示的に図示している。
【００２４】
図３を参照するに、電源ソケット２５０は、シャーシの一側面２００ａ上に固定されるソケット・ハウジング２５５と、前記ソケット・ハウジング２５５内に形成される１対の溝２５６ａ，２５６ｂと、前記溝達２５６ａ，２５６ｂの内部に設けられる１対の電源端子２５２ａ，２５２ｂとを含む。ここで、前記１対の溝２５６ａ，２５６ｂは、ソケット・ハウジング２５５によって互いに分離されている。そして、かような１対の溝２５６ａ，２５６ｂに、図４Ａ及び図４Ｂに図示された印刷回路基板２２０，２２０’の一端部が差し込まれる。
【００２５】
図４Ａを参照するに、印刷回路基板２２０の一端部が二つに分岐され、このように分岐された２つの部分上に、１対の導電性パッド２２０ａ，２２０ｂが形成される。ここで、前記１対の導電性パッド２２０ａ，２２０ｂは、電源ソケット２５０内の１対の電源端子２５２ａ，２５２ｂに対応するように形成される。これにより、前記１対の導電性パッド２２０ａ，２２０ｂは、電源ソケット２５０の溝２５６ａ，２５６ｂに挿入され、１対の電源端子２５２ａ，２５２ｂと電気的に連結される。このとき、前記電源ソケット２５０内の電源端子２５２ａ，２５２ｂは、導電性パッド２２０ａ，２２０ｂとの電気的接触が容易なように、金属スプリングのような導電性の弾性部材からなりうる。そして、本実施形態で、前記導電性パッド２２０ａ，２２０ｂは、印刷回路基板２２０上に形成された導電性物質を外部に露出させることによって形成されうる。
すなわち、印刷回路基板２２０上には、絶縁膜で覆われている所定形態の導電性物質が形成されているが、前記導電性パッド２２０ａ，２２０ｂは、印刷回路基板２２０の端部上に覆われている絶縁膜を除去し、その下にある導電性物質を外部に露出させることによって形成されうる。図４Ｂは、図４Ａに図示された印刷回路基板端部の変形例を図示したものであり、図４Ｂに図示された印刷回路基板２２０’は、図４Ａに図示された印刷回路基板２２０より幅広に形成されるという点を除いては、図４Ａに図示された印刷回路基板２２０と同一である。図４Ｂに図示されているように、さらに幅広の印刷回路基板２２０’上には、さらに多くのＬＥＤ２２１（図２）が配列されうるという長所がある。図４Ｂで参照符号２２０’ａ及び２２０’ｂは、電源ソケット２５０内の１対の電源端子２５２ａ，２５２ｂに対応する１対の導電性パッドを示している。
【００２６】
前述のように、本発明の実施形態による液晶ディスプレイ装置用バックライト・ユニットでは、印刷回路基板２２０の端部に設けられた導電性パッド２２０ａ，２２０ｂが差し込まれる電源ソケット２５０が、シャーシ２００に固設される。これにより、図１に図示された従来バックライト・ユニットで要求される印刷回路基板上に設けられるコネクタ、前記コネクタに連結されるハウジングのような部品が不要になるので、製造コストを節減できる。また、本発明の実施形態による液晶ディスプレイ装置用バックライト・ユニットを製作するためには、シャーシに固設された電源ソケット内に、１対の導電性パッドが形成された印刷回路基板の一端部を挿入すればよいので、従来より製造工程を単純化できる。
【００２７】
図５は、図２に図示された本発明の実施形態によるバックライト・ユニットに適用されうる電源ソケットの他の例を図示している。そして、図６Ａ及び図６Ｂは、図５に図示された電源ソケットに差し込まれる印刷回路基板の一端部を図示している。
【００２８】
図５を参照するに、電源ソケット３５０はシャーシの一側面２００ａ上に固定されるソケット・ハウジング３５５と、前記ソケット・ハウジング３５５内に形成される１つの溝３５６と、前記溝３５６内部に設けられる１対の電源端子３５２ａ，３５２ｂとを含む。そして、前記溝３５６に、図６Ａ及び図６Ｂに図示された印刷回路基板３２０，３２０’の一端部が差し込まれる。
【００２９】
図６Ａを参照するに、印刷回路基板３２０の一端部には、１対の導電性パッド３２０ａ，３２０ｂが形成される。ここで、前記１対の導電性パッド３２０ａ，３２０ｂは、電源ソケット３５０内の１対の電源端子３５２ａ，３５２ｂに対応するように形成される。これにより、前記１対の導電性パッド３２０ａ，３２０ｂは、電源ソケット３５０の溝３５６内に差し込まれ、１対の電源端子３５２ａ，３５２ｂと電気的に連結される。このとき、前記電源ソケット３５０内の電源端子３５２ａ，３５２ｂは、導電性パッド３２０ａ，３２０ｂとの電気的接触が容易なように、金属スプリングのような導電性の弾性部材からなりうる。そして、前記導電性パッド３２０ａ，３２０ｂは、印刷回路基板３２０上に形成された導電性物質を外部に露出させることによって形成されうる。図６Ｂは、図６Ａに図示された印刷回路基板端部の変形例を図示したものであり、図６Ｂに図示された印刷回路基板３２０’は、図６Ａに図示された印刷回路基板３２０より幅広になるように形成されるという点を除いては、図６Ａに図示された印刷回路基板３２０と同一である。図６Ｂに図示されているように、さらに幅広の印刷回路基板３２０’上には、さらに多くのＬＥＤが配列されうるという長所がある。図６Ｂで参照符号３２０’ａ及び３２０’ｂは、電源ソケット３５０内の１対の電源端子３５２ａ，３５２ｂに対応する１対の導電性パッドを示している。
【００３０】
一方、図３ないし図６Ｂに図示された電源ソケット及び印刷回路基板の端部は、単に例示的に説明したものであり、本発明は、これらに限定されるものではなく、当業者であるならば、それらから多様な変形が可能であろう。
【００３１】
また、以上では、シャーシの一側面にのみＬＥＤが配列された印刷回路基板が設けられる場合について説明したが、本発明は、それに限定されるものではなく、シャーシの他側面にも、印刷回路基板が設けられうる。そして、以上では、印刷回路基板の一端部にのみ１対の導電性パッドが設けられる場合について説明したが、本発明は、それに限定されるものではなく、印刷回路基板の他端部にも１対の導電性パッドが設けられうる。その場合、シャーシの側面上には、印刷回路基板の両端部に設けられた２対の導電性パッドに対応して、２つの電源ソケットが固設されうる。
【００３２】
以上で述べた通り、本発明の実施形態によれば、製造コストを節減でき、かつ製造工程を簡素化させることができる液晶ディスプレイ装置用バックライト・ユニットを具現できる。
【００３３】
以上、本発明による望ましい実施形態について説明したが、それらは例示的なものに過ぎず、当該分野で一般的な知識を有した当業者であるならば、それらから多様な変形及び均等な他実施形態が可能であるという点を理解するであろう。従って、本発明の真の技術的保護範囲は、添付された特許請求の範囲によってのみ決まるものである。
【図１】
0005411262.tif 000002
【図２】
0005411262.tif 000003
【図３】
0005411262.tif 000004
【図４Ａ】
0005411262.tif 000005
【図４Ｂ】
0005411262.tif 000006
【図５】
0005411262.tif 000007
【図６Ａ】
0005411262.tif 000008
【図６Ｂ】
0005411262.tif 000009